(57)【要約】【課題】キッチン用品や事務用品などを複数、しかも異なる収容方向で保持できるようにする。【解決手段】頂部８を先細にして二つ折りされ内側に隙間Ｌを形成した複数の弾力性を有する二つ折り板材７を左右方向に隣接して並設する。頂部８を上方向に、隙間Ｌを前後方向に向けて設ける。隣接した頂部８間により保持用上部差込部11を形成すると共に、隙間Ｌにより保持用前部差込部12を形成する。上方から差し込んだ第１の包丁１などの握り柄部１Ｂを頂部８で係止して第１の包丁１などを保持できる。また前方から差し込んだ第４の包丁４の握り柄部４Ｂを二つ折り板材７の前縁７Ｆで係止して第４の包丁４を保持できる。【選択図】図１
0003164075.tif 000002
【実用新案登録請求の範囲】
【請求項１】
二つ折りされ内側に隙間を形成した複数の弾力性を有する二つ折り板材を隣接して並設し、かつ前記複数の二つ折り板材の頂部を同じ方向に向け、隣接した前記頂部間に第１の保持用差込部を形成したことを特徴とする保持用スタンド。
【請求項２】
頂部を先細にして二つ折りされ内側に隙間を形成した複数の弾力性を有する二つ折り板材を左右方向に隣接して並設し、かつ前記頂部を上方向に、前記隙間を前後方向に向け、隣接した前記頂部間により保持用上部差込部を形成すると共に、前記隙間により保持用前部差込部を形成したことを特徴とする保持用スタンド。
【請求項３】
並設した前記二つ折り板材の前側に前記隙間を閉塞する閉塞部材を設けると共に、該閉塞部材の上端と前記頂部側との間に前記保持用上部差込部を設けたことを特徴とする請求項２記載の保持用スタンド。
【請求項４】
前記二つ折り板材と直交して並設した該二つ折り板材に貫通部材が設けられ、該貫通部材に前記二つ折り板材の位置決め部を設けたことを特徴とする請求項２または３記載の保持用スタンド。
【請求項５】
前記位置決め部はスペーサーからなり、該スペーサーは前記隙間に介在することを特徴とする請求項４記載の保持用スタンド。
【請求項６】
前記位置決め部は前記二つ折り板材の板片部が係止する溝からなることを特徴とする特徴とする請求項４記載の保持用スタンド。
【請求項７】
差込方向が縦向きの縦入れ包丁の刃板部の厚みと隣接する前記頂部間の幅との合計長さが、前記縦入れ包丁の刃板部の基端に設けられる縦入れ握り柄部の厚みより小さく形成されていることを特徴とする請求項２〜６のいずれか１項に記載の保持用スタンド。
【請求項８】
前記隙間は、差込方向が横向きの横入れ包丁の刃板部の厚みより大きく、前記横入れ包丁の刃板部の基端に設けられる横入れ握り柄部の厚みより小さく形成されていることを特徴とする請求項２〜７のいずれか１項に記載の保持用スタンド。
【請求項９】
並設した前記二つ折り板材の外側に固定用側板部を設けたことを特徴とする請求項２〜８のいずれか１項に記載の保持用スタンド。
【考案の詳細な説明】
【技術分野】
【０００１】
本考案は、卓上や調理台或いは机などの卓上類に設置されて、包丁（ナイフ）、スプーン、フォークなどのキッチン用品或いは鋏やペン、メモ用紙などの事務用品等を保持する保持用スタンドに関するものである。
【背景技術】
【０００２】
従来、包丁のスタンドとして左右一対の受け体の間に溝を形成し、この溝に包丁の刃体を横置きして保持する包丁立てが知られている（例えば、特許文献１）。
【特許文献１】実用新案登録第３０４９９５３号公報
【考案の開示】
【考案が解決しようとする課題】
【０００３】
しかし、従来のような包丁立てでは、１本の包丁しか収容できず、包丁を保管するための自由度が低かった。
【０００４】
解決しようとする問題点は、キッチン用品や事務用品などを保持して保管するにあたり、キッチン用品や事務用品などを複数保持することで、保持の自由度を向上できるようにする点である。さらに、保管する方向の自由度も向上する点である。
【課題を解決するための手段】
【０００５】
請求項１の考案は、二つ折りされ内側に隙間を形成した複数の弾力性を有する二つ折り板材を隣接して並設し、かつ前記複数の二つ折り板材の頂部を同じ方向に向け、隣接した前記頂部間に第１の保持用差込部を形成したことを特徴とする保持用スタンドである。
【０００６】
請求項２の考案は、頂部を先細にして二つ折りされ内側に隙間を形成した複数の弾力性を有する二つ折り板材を左右方向に隣接して並設し、かつ前記頂部を上方向に、前記隙間を前後方向に向け、隣接した前記頂部間により保持用上部差込部を形成すると共に、前記隙間により保持用前部差込部を形成したことを特徴とする保持用スタンドである。
【０００７】
請求項３の考案は、並設した前記二つ折り板材の前側に前記隙間を閉塞する閉塞部材を設けると共に、該閉塞部材の上端と前記頂部側との間に前記保持用上部差込部を設けたことを特徴とする請求項２記載の保持用スタンドである。
【０００８】
請求項４の考案は、前記二つ折り板材と直交して並設した該二つ折り板材に貫通部材が設けられ、該貫通部材に前記二つ折り板材の位置決め部を設けたことを特徴とする請求項２または３記載の保持用スタンドである。
【０００９】
請求項５の考案は、前記位置決め部はスペーサーからなり、該スペーサーは前記隙間に介在することを特徴とする請求項４記載の保持用スタンドである。
【００１０】
請求項６の考案は、前記位置決め部は前記二つ折り板材の板片部が係止する溝からなることを特徴とする特徴とする請求項４記載の保持用スタンドである。
【００１１】
請求項７の考案は、差込方向が縦向きの縦入れ包丁の刃板部の厚みと隣接する前記頂部間の幅との合計長さが、前記縦入れ包丁の刃板部の基端に設けられる縦入れ握り柄部の厚みより小さく形成されていることを特徴とする請求項２〜６のいずれか１項に記載の保持用スタンドである。
【００１２】
請求項８の考案は、前記隙間は、差込方向が横向きの横入れ包丁の刃板部の厚みより大きく、前記横入れ包丁の刃板部の基端に設けられる横入れ握り柄部の厚みより小さく形成されていることを特徴とする請求項２〜７のいずれか１項に記載の保持用スタンドである。
【００１３】
請求項９の考案は、並設した前記二つ折り板材の外側に固定用側板部を設けたことを特徴とする請求項２〜８のいずれか１項に記載の保持用スタンドである。
【考案の効果】
【００１４】
請求項１の考案によれば、複数の包丁などを上方や前方より差し込んで保持することができる。
【００１５】
請求項２の考案によれば、複数の包丁などを上方で係止したりや前方より係止して差し込んで保持することができる。
【００１６】
請求項３の考案によれば、包丁などを閉塞部材の上端によって係止されることで、落ち込むことなく保持することができる。
【００１７】
請求項４の考案によれば、二つ折り板材を定位置に配置して、隙間が常時確保できるようになる。
【００１８】
請求項５の考案によれば、スペーサーによって隙間を確保することができる。
【００１９】
請求項６の考案によれば、板片部が係止される溝によって隙間を確保することができる。
【００２０】
請求項７の考案によれば、縦入れ包丁を確実に保持することができる。
【００２１】
請求項８の考案によれば、横入れ包丁を確実に保持することができる。
【００２２】
請求項９の考案によれば、並設した二つ折り板材の外側を固定用側板部で固定することができる。
【考案を実施するための最良の形態】
【００２３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２４】
図１〜５は実施例１を示しており、この実施例では包丁（ナイフ）などのキッチン用品を収容するための保持用スタンドについて説明する。保持用スタンドは、差込方向が縦向きの縦入れ包丁１，２，３や差込方向が横向きの横入れ包丁４を保持する保持スタンド本体５と、この保持スタンド本体５を卓上や調理台に置きやすいようにする設置部６とを備える。
【００２５】
前記保持スタンド本体５は、左右に横長なほぼ長方形のプラスチック板、ステンレス鋼やアルミなどの金属板、剛性を有する紙類などの弾力性を有する二つ折り板材７からなる。この二つ折り板材７はほぼ矩形状の板素材を左右対称になるように山折りに二つ折りしてその頂部８を先細となるように三角形状に先鋭に形成すると共に、二つ折りされた左右一対の板片部９，10の内側に隙間Ｌを形成している。このため、二つ折り板材７は弾力性によって外力が加わると隙間Ｌが多少増減するものの、外力がなくなると当初の隙間Ｌに復元できるようになっている。尚、縦入れ包丁１の刃板部１Ａの厚みＩと隣接する頂部８間の幅Ｊとの合計長さが、縦入れ包丁１の刃板部１Ａの基端に設けられる縦入れ握り柄部１Ｂの厚みＫより小さく形成されている（Ｉ＋Ｊ＜Ｋ）。また隙間Ｌは、横入れ包丁４の刃板部４Ａの厚みＭより大きく、刃板部４Ａの基端に設けられる包丁４の横入れ握り柄部４Ｂの厚みＮより小さく形成されている（Ｌ＞Ｍ，Ｌ＜Ｎ）。
【００２６】
そして、頂部８を上方向に、隙間Ｌを前後方向に向けて二つ折り板材７を左右方向に隣接して複数並設して一体的に設けられている。尚、実施例では二つ折り板材７は16枚程度配置されている。このために、隣接した頂部８間に、包丁１，２，３の刃板部１Ａ，２Ａ，３Ａのみが挿入できる第１の保持用差込部である保持用上部差込部11が形成され、また、隙間Ｌの前部により、同様に包丁４の刃板部４Ａが挿入できる第２の保持用差込部である保持用前部差込部12が形成されるようになっている。
【００２７】
前記設置部６は、二つ折り板材７の左右方向の両端に配置される左右一対の固定用側板部13と、固定用側板部13と一体に設けられて底部を閉塞する底板部14と、固定用側板部13と一体に設けられて後部を閉塞する後板部15と、底板部14及び後板部15の下方に横向きに固定される設置板部16とを備えており、この設置部６によって保持スタンド本体５を卓上や調理台に立てておくことが出来るようになっている。
【００２８】
そして、左右一対の固定用側板部13間における前側の上下部、後ろ側の上部とそのやや下方に、二つ折り板材７を貫通する水平直軸状の第１〜４の貫通部材17,18,19,20をそれぞれ設ける。第１〜４の貫通部材17,18,19,20の両端は、左右一対の側板部13に固定されている。このため、二つ折り板材７の前側の上下部、後ろ側の上部とそのやや下方に第１〜４の貫通孔21,22,23,24がそれぞれ形成されている。この第１〜４の貫通孔21,22,23,24は第１〜４の貫通部材17,18,19,20が遊挿できるように貫通部材17,18,19,20よりもやや大きく形成されて、二つ折り板材７が第１〜４の貫通部材17,18,19,20に対して多少左右に摺動できるようになっている。さらに、二つ折り板材７の隙間Ｌを保持するように左右一対の板片部９，10間に介在するように、前側の下部にある第２の貫通部材18においては、リング状のスペーサー25からなる第１の位置決め部が外嵌している。
【００２９】
また、並設している二つ折り板材７の前部に前記隙間Ｌを閉塞する板状の閉塞部材26を設ける。この閉塞部材26は、並設している二つ折り板材７を左右方向に貫通して貫通部材としての機能も有しており、その両端を左右一対の側板部13に固定している。したがって、二つ折り板材７の前側には、閉塞部材26が貫通するための第５の貫通孔27が形成されている。
【００３０】
そして、閉塞部材26の上端26Ａは第１の貫通部材17の下方にあって、閉塞部材26の上端26Ａと第１の貫通部材17との間に、前記保持用前部差込部12が形成されるようになっている。尚、第２の貫通部材18の上方に閉塞部材26の下端26Ｂが設けられている。
【００３１】
さらに、左右一対の板片部９，10間の隙間Ｌを保持するように閉塞部材26の前面に第２の位置決め部が左右方向に間隔をおいて設けられている。この第２の位置決め部は、閉塞部材26の前面の上下２段の箇所であって、前方に突設した突起28に縦向きの溝29を形成することで設けられ、この溝29に一方の板片部９と、該一方の板片部９に隣接する二つ折り板材７の他方の板片部10が密着するようにして、同一の溝29に嵌まり込んで位置決めされている。
【００３２】
また、並設した二つ折り板材７における上部の他側に仕切り部30を設ける。この仕切り部30は、他方の固定用側板部13に基端30Ａを固定すると共に、先端30Ｂを左右方向の中間まで突設したものである。このため、左右一対の固定用側板部13の内側に置ける他側に配置される二つ折り板材７には、第６の貫通孔31が形成されている。実施例ではほぼ中央にある二つ折り板材７Ａの他方の板片部10には第６の貫通孔31が形成されるものの、一方の板片部９には第６の貫通孔31が形成されておらず、この一方の板片部９に仕切り部30の先端30Ｂが当接して係止されるようになっている。
【００３３】
次に前記構成についてその作用を説明する。実施例では４種類の第１〜４の包丁１，２，３，４を保持する場合を説明する。並設した二つ折り板材７における一側の上方から縦入れ包丁である第１の包丁14を差し込むと、その刃板部１Ａは並設した頂部８に振り分けられて頂部８間に形成された保持用上部差込部11から二つ折り板材７の他方の板片部10とこの板片部10に隣接する一方の板片部９との間に挿入する。この際、刃板部１Ａが挿入された二つ折り板材７は弾性変形して刃板部１Ａの厚みＩと同じ長さ左右に移動する。尚、第１の包丁14を抜くとその箇所の沈設する二つ折り板材７は復元して密着する。
【００３４】
そして、刃板部１Ａが板片部９，10間に挿入すると、握り柄部１Ｂの前端面が先細な頂部８に係止されて、第１の包丁１の落ち込みが阻止されて保持されるようになっている。これは、包丁１の刃板部１Ａの厚みＩと隣接する頂部８間の幅Ｊとの合計長さが、包丁１の刃板部１Ａの握り柄部１Ｂの厚みＫより小さく形成されている（Ｉ＋Ｊ＜Ｋ）ためである。
【００３５】
同様に、並設した二つ折り板材７における他側の上方から第２，３の包丁２，３の刃板部２Ａ，３Ａは閉塞部材26と仕切り部30、仕切り部30と後板部15との間に配置されている。
【００３６】
また、横入れ包丁である第４の包丁４の刃板部４Ａを保持用前部差込部12から二つ折り板材７の内側の隙間Ｌに挿入することにより、第４の包丁４の握り柄部４Ｂが二つ折り板材７の前縁７Ｆに係止されてそれ以上挿入できなくなり、かつ握り柄部４Ｂが閉塞部材26の上縁26Ａに係止することで、第４の包丁４は保持されることとなる。これは、隙間Ｌは、横入れ包丁４の刃板部４Ａの厚みＭより大きく、刃板部４Ａの基端に設けられる包丁４の握り柄部４Ｂの厚みＮより小さく形成されている（Ｌ＞Ｍ，Ｌ＜Ｎ）ためである。
【００３７】
以上のように、前記実施例では請求項１に対応して、二つ折りされ内側に隙間Ｌを形成した複数の弾力性を有する二つ折り板材７を隣接して並設し、かつ複数の二つ折り板材７の頂部８を同じ方向に向け、隣接した頂部８間に第１の保持用差込部である保持用上部差込部11を形成すると共に、隙間Ｌにより第２の保持用差込部である保持用前部差込部12を形成したことにより、複数の包丁１，２，３，４を上方や前方より差し込んで保持することができる。
【００３８】
また、前記実施例では請求項２に対応して、頂部８を先細にして二つ折りされ内側に隙間Ｌを形成した複数の弾力性を有する二つ折り板材７を左右方向に隣接して並設し、かつ頂部８を上方向に、隙間Ｌを前後方向に向け、隣接した頂部８間により保持用上部差込部11を形成すると共に、前記隙間Ｌにより保持用前部差込部12を形成したことにより、上方から差し込んだ第１の包丁１などの握り柄部１Ｂを頂部８で係止して第１の包丁１などを保持でき、また前方から差し込んだ第４の包丁４の握り柄部４Ｂを二つ折り板材７の前縁７Ｆで係止して第４の包丁４を保持でき、複数の包丁１，２，３，４を上方や前方より差し込んで握り柄部１Ｂ，２Ｂ，３Ｂ，４Ｂを係止した状態で保持することができる。
【００３９】
さらに、前記実施例では請求項３に対応して、並設した二つ折り板材７の前側に隙間Ｌを閉塞する閉塞部材26を設けると共に、該閉塞部材26の上端26Ａと頂部８側との間に保持用上部差込部11を設けたことによって、第４の包丁４は閉塞部材26の上端26Ａによって係止されることで、落ち込むことなく保持することができる。
【００４０】
また、前記実施例では請求項４に対応して、二つ折り板材７と直交して並設した該二つ折り板７に貫通部材18、貫通部材としての閉塞部材26が設けられ、該貫通部材18に二つ折り板材７の位置決め部であるスペーサー25を設けたり、また閉塞部材26に溝29を設けたことにより、二つ折り板材７が定位置に配置されることで、隙間Ｌが常時確保されることとなり、保持用上部差込部11、保持用前部差込部12を確保することができる。
【００４１】
さらに、前記実施例では請求項５に対応して、位置決め部としてのスペーサー25は隙間Ｌに介在することで、隙間Ｌをスペーサー25によって確保することができる。
【００４２】
また、前記実施例では請求項６に対応して、位置決め部は二つ折り板材７の板片部９，10が係止する溝29からなることで、隙間Ｌを溝29間によって確保することができる。
【００４３】
さらに、前記実施例では請求項７に対応して、包丁１の刃板部１Ａの厚みＩと隣接する頂部８間の幅Ｊとの合計長さが、包丁１の刃板部１Ａの基端に設けられる縦入れ握り柄部１Ｂの厚みＫより小さく形成されている（Ｉ＋Ｊ＜Ｋ）ので、握り柄部１Ｂの下端が隣接する頂部８に係止して確実に包丁１を保持することができる。
【００４４】
しかも、前記実施例では請求項８に対応して、隙間Ｌは、包丁４の刃板部４Ａの厚みＭより大きく、刃板部４Ａの基端に設けられる包丁４の握り柄部４Ｂの厚みＮより小さく形成されていることで、包丁４の握り柄部４Ｂの前端を前縁７Ｆで係止して確実に包丁４を保持することができる。
【００４５】
また、前記実施例では請求項９に対応して、並設した二つ折り板材７の外側を固定用側板部13で固定することができる。
【実施例２】
【００４６】
図６は実施例２を示しており、前記実施例１と同一部分には同一符号を付し、その詳細な説明を省略する。実施例２においては、二つ折り板材７の頂部８´の形状を逆Ｕ字形状として先細に形成したものである。
【００４７】
このようなものでも実施例１と同様な作用効果を奏することができる。
【産業上の利用可能性】
【００４８】
以上のように本考案にかかる保持用スタンドは、各種の用途に適用できる。
【図面の簡単な説明】
【００４９】
【図１】本考案の第１実施例を示す斜視図である。
【図２】同正面図である。
【図３】同平面図である。
【図４】同断面図である。
【図５】同分解斜視図である。
【図６】本考案の第２実施例を示す分解斜視図である。
【符号の説明】
【００５０】
１  縦入れ包丁
１Ａ  刃板部
１Ｂ  縦入れ握り柄部
４  横入れ包丁
４Ａ  刃板部
４Ｂ  横入れ握り柄部
７  二つ折り板材
８  頂部
９，10  板片部
11  保持用上部差込部（第１の保持用差込部）
12  保持用前部差込部（第２の保持用差込部）
13  固定用側板部
18  貫通部材
25  スペーサー（位置決め部）
26  閉塞部材（貫通部材）
26Ａ  上端
29  溝（位置決め部）
Ｉ  刃板部１Ａの厚み
Ｊ  隣接する頂部８間の幅
Ｋ  縦入れ握り柄部１Ｂの厚み
Ｌ  隙間
Ｍ  横入れ包丁４の刃板部４Ａの厚み
Ｎ  横入れ握り柄部４Ｂの厚み
【図１】
0003164075.tif 000003
【図２】
0003164075.tif 000004
【図３】
0003164075.tif 000005
【図４】
0003164075.tif 000006
【図５】
0003164075.tif 000007
【図６】
0003164075.tif 000008